【手続補正書】
【提出日】平成16年11月22日(2004.11.22)
【手続補正１】
【補正対象書類名】明細書
【補正対象項目名】全文
【補正方法】変更
【補正の内容】
【書類名】      明細書
【発明の名称】  緊急遮断弁付きの水栓及び水栓用のカートリッジ
【特許請求の範囲】
【請求項１】  水道水である原水を浄化するカートリッジを水栓の外殻体内部に脱着可能に内蔵した水栓において、
前記カートリッジの上流部に該カートリッジ装着状態で開弁状態を維持し、該カートリッジが装着位置から外れたときに閉弁して流路を遮断する緊急遮断弁を設けたことを特徴とする緊急遮断弁付きの水栓。
【請求項２】  請求項１において、前記カートリッジが水栓における吐水ヘッドに内蔵してあることを特徴とする緊急遮断弁付きの水栓。
【請求項３】  請求項２において、前記吐水ヘッドは吐水ヘッド本体と頭部とに分離可能で該頭部がカートリッジ押えを兼ねており、該吐水ヘッド本体に対する該頭部の脱着により該カートリッジが脱着可能なものとなしてあることを特徴とする緊急遮断弁付きの水栓。
【請求項４】  請求項２，３の何れかにおいて、前記吐水ヘッドが可撓性のホースとともに引出しないし位置移動可能なものであることを特徴とする緊急遮断弁付きの水栓。
【請求項５】  請求項４において、前記緊急遮断弁が前記吐水ヘッドに設けてあることを特徴とする緊急遮断弁付きの水栓。
【請求項６】  請求項４，５の何れかにおいて、前記緊急遮断弁が前記吐水ヘッドにおける前記ホースの接続固定部に設けてあることを特徴とする緊急遮断弁付きの水栓。
【請求項７】  請求項１〜６の何れかにおいて、前記緊急遮断弁には前記流路における該緊急遮断弁よりも上流部の圧力を下流部にリークするリーク機構が設けてあることを特徴とする緊急遮断弁付きの水栓。
【請求項８】  請求項７において、前記リーク機構が前記緊急遮断弁の弁体を部分的に切り欠いて成る切欠部で構成してあることを特徴とする緊急遮断弁付きの水栓。
【請求項９】  請求項１〜８の何れかにおいて、前記緊急遮断弁には前記流路における該緊急遮断弁よりも上流側の水の飛び出しを防止する邪魔板が設けてあることを特徴とする緊急遮断弁付きの水栓。
【請求項１０】  請求項１〜９の何れかにおいて、前記カートリッジが弁押えを成していて、該カートリッジが装着位置において該緊急遮断弁の弁体を押えることで該緊急遮断弁が開弁するものとなしてあることを特徴とする緊急遮断弁付きの水栓。
【請求項１１】  請求項１０において、前記カートリッジには前記弁体を押えるための凸形状部が端部に設けてあることを特徴とする緊急遮断弁付きの水栓。
【請求項１２】  水道水である原水の浄化のために水栓に内蔵されるカートリッジであって、該水栓内部の緊急遮断弁の弁押えが設けてあることを特徴とする請求項１〜１１の何れかに記載の緊急遮断弁付きの水栓用のカートリッジ。
【発明の詳細な説明】
【０００１】
【発明の属する技術分野】
この発明は水道水を浄化して吐水する機能を備えた水栓に関し、詳しくは緊急遮断弁付きの水栓に関する。
【０００２】
【従来の技術】
水道水中には微細な砂，赤錆等濁りの元となる成分や殺菌用の塩素に起因するカルキ臭とか黴臭とかの臭いの元となる成分が含まれている。
そこで従来、水道水（原水）を内部に導き入れてこれを浄化するためのカートリッジに通し、浄水とした上で浄水吐水口から吐水する機能を有する浄水装置を水栓とは別体の単体のユニットとして構成し、これを水栓の蛇口、即ち吐水管の先端部に後付けで取り付けるといったことが行われている。
しかしながらこの単体且つ後付式の浄水装置の場合、これを水栓の吐水管の先端部に装着すると吐水管の先端部が不自然に大型化してしまって美観が損なわれてしまうといった問題がある。
【０００３】
一方、図１１に示しているように水栓２００とは独立に構成された浄水装置２０２をキッチン等のキャビネット内部に設置し、水栓２００からの水道水をこの浄水装置２０２に導いてここで浄化し、浄水とした上で再び水栓２００に戻して吐水管２０４の先端部（蛇口）から吐水するといったことも行われている。
【０００４】
この種形式の浄水装置２０２はビルトインタイプと称されているが、この浄水装置２０２を用いた場合、水栓２００特に吐水管２０４の先端部の形状は通常の水栓と全く変らず、従って外部に現れる部分について美観を良好に保持することができる。
【０００５】
一方でこの種形式の浄水装置２０２の場合、これをキャビネット内に設置するとキャビネット内部が煩雑化し、また浄水装置２０２の設置によってキャビネット内部の収納空間が狭められてしまうといった問題が生ずる。
近年キャビネット内の収納空間をできるだけ広く使おうとする傾向があり、このような中にあってこの種ビルトインタイプの浄水装置２０２を設置することが困難な場合も生じている。
【０００６】
他方キッチン等のカウンター上に通常の水栓と併せて浄水専用の水栓を設置するといったことも行われている。
しかしながらこの場合通常の水栓と浄水専用の水栓との２つの水栓が必要となり、カウンター上のスペースがそれら水栓にて広く占有されてしまうとともにコストも高くなるといった問題がある。
【０００７】
このようなことから、本発明者等はこの種の浄水機能即ち水道水からなる原水を浄化する機構を水栓に内蔵させたものを案出した。
図１２はその一例を示している。
同図に示ししているようにここでは可撓性のホース２０６とともに引出可能な水栓の吐水ヘッド２０８の内部にカートリッジ２１０を収容してその内側に浄水通路２１２を、また外周側に原水通路２１４を形成し、そしてカートリッジ２１０の下流部に設けた切替弁を操作部２１５の操作により作動させ、原水ストレート吐水口２１６からの原水ストレート吐水，原水シャワー吐水口２１８からの原水シャワー吐水及び浄水ストレート吐水口２２０からの浄水ストレート吐水を切り替えるようになしている。
【０００８】
このように水道水を浄化するための機構を水栓に内蔵しておいた場合、水栓の外観をすっきりとしたものとなしてその外観，美観を良好に保持しつつキャビネット内の収納空間を広く確保することが可能となる。
【０００９】
ところで、カートリッジ２１０は使用を続けるうちにその機能が低下して来るため、これを一定期間ごとに交換する必要が生ずる。
このためここでは吐水ヘッド２０８を吐水ヘッド本体２２２と頭部２２４とに分離可能とし、その頭部２２４を吐水ヘッド本体２２２から取り外し、分離することでカートリッジ２１０の交換を可能としている。
【００１０】
【発明が解決しようとする課題】
ところでこのカートリッジ内蔵の水栓の場合、カートリッジ２１０の交換を誤って水栓の主弁を開いたまま行ってしまったとき、或いは水栓の主弁を閉じた状態でカートリッジ２１０の交換を行っても、その交換作業の際に誤って主弁操作用のハンドルに手が触れてこれを開操作してしまったとき、更にはまた何らかの原因で頭部２２４が吐水ヘッド本体２２２から外れてしまったりすると、湯水が使用者に向って勢い良く飛び出して来たり、或いはまた場合によって頭部２２４が湯水の勢いで使用者に向って飛んで来るといった恐れがある。
【００１１】
以上カートリッジ内蔵の水栓の一例について問題点を述べたが、同様の問題は水栓の主弁の下流部においてカートリッジを内蔵し且つこれを交換可能となした他のカートリッジ内蔵の水栓においても共通に生じ得る。
【００１２】
【課題を解決するための手段】
本発明の緊急遮断弁付きの水栓及び水栓用のカートリッジはこのような課題を解決するために案出されたものである。
而して請求項１の緊急遮断弁付きの水栓は、水道水である原水を浄化するカートリッジを水栓の外殻体内部に脱着可能に内蔵した水栓において、前記カートリッジの上流部に該カートリッジ装着状態で開弁状態を維持し、該カートリッジが装着位置から外れたときに閉弁して流路を遮断する緊急遮断弁を設けたことを特徴とする。
【００１３】
請求項２のものは、請求項１において、前記カートリッジが水栓における吐水ヘッドに内蔵してあることを特徴とする。
【００１４】
請求項３のものは、請求項２において、前記吐水ヘッドは吐水ヘッド本体と頭部とに分離可能で該頭部がカートリッジ押えを兼ねており、該吐水ヘッド本体に対する該頭部の脱着により該カートリッジが脱着可能なものとなしてあることを特徴とする。
【００１５】
請求項４のものは、請求項２，３の何れかにおいて、前記吐水ヘッドが可撓性のホースとともに引出しないし位置移動可能なものであることを特徴とする。
【００１６】
請求項５のものは、請求項４において、前記緊急遮断弁が前記吐水ヘッドに設けてあることを特徴とする。
【００１７】
請求項６のものは、請求項４，５の何れかにおいて、前記緊急遮断弁が前記吐水ヘッドにおける前記ホースの接続固定部に設けてあることを特徴とする。
【００１８】
請求項７のものは、請求項１〜６の何れかにおいて、前記緊急遮断弁には前記流路における該緊急遮断弁よりも上流部の圧力を下流部にリークするリーク機構が設けてあることを特徴とする。
【００１９】
請求項８のものは、請求項７において、前記リーク機構が前記緊急遮断弁の弁体を部分的に切り欠いて成る切欠部で構成してあることを特徴とする。
【００２０】
請求項９のものは、請求項１〜８の何れかにおいて、前記緊急遮断弁には前記流路における該緊急遮断弁よりも上流側の水の飛び出しを防止する邪魔板が設けてあることを特徴とする。
【００２１】
請求項１０のものは、請求項１〜９の何れかにおいて、前記カートリッジが弁押えを成していて、該カートリッジが装着位置において該緊急遮断弁の弁体を押えることで該緊急遮断弁が開弁するものとなしてあることを特徴とする。
【００２２】
請求項１１のものは、請求項１０において、前記カートリッジには前記弁体を押えるための凸形状部が端部に設けてあることを特徴とする。
【００２３】
請求項１２は水栓用のカートリッジに関するもので、このカートリッジは、水道水である原水の浄化のために水栓に内蔵される請求項１〜１１の何れかの水栓用のカートリッジであって、該水栓内部の緊急遮断弁の弁押えが設けてあることを特徴とする。
【００２４】
【作用及び発明の効果】
上記のように請求項１のものは、カートリッジの上流部にカートリッジ装着状態で開弁状態を維持し、カートリッジが装着位置から外れたときに閉弁して流路を遮断する緊急遮断弁を設けたもので、この発明によれば、誤って水栓の主弁を開いたままカートリッジ交換を行ってしまったとしても、或いはまたカートリッジ交換作業の際に誤って主弁操作用のハンドルに手が触れてこれを開操作してしまっても、カートリッジが装着位置から外れるのと同時に緊急遮断弁が閉弁して流路を遮断するため、使用者に向かって湯水が飛び出して来てしまうといったことを確実に防止することができる。
【００２５】
本発明においては、上記カートリッジを水栓における吐水ヘッドに内蔵しておくことができる（請求項２）。
更にこの場合において、吐水ヘッドを吐水ヘッド本体と頭部とに分離可能となしてその頭部にカートリッジ押えを兼用させるようになし、吐水ヘッド本体に対する頭部の脱着によりカートリッジを交換できるようになしておくことができる（請求項３）。
【００２６】
このように頭部を外すことによってカートリッジを交換するようになした場合においても、上記緊急遮断弁による流路の緊急遮断作用により、何らかの原因で頭部が外れたとしても、或いはまたカートリッジの交換時に主弁が開いていたとしても、更にはまたカートリッジ交換の際に誤って主弁操作用のハンドルに手が触れてこれを開操作してしまった場合であっても、その頭部が湯水の勢いで使用者に向って飛んで来るといった恐れをなくすことができる。
【００２７】
ここで上記の吐水ヘッドは可撓性のホースとともに引出可能となし、或いはまた洗面室や浴室等に設置される水栓のシャワーヘッドのようにホースとともに位置が移動可能なものとなしておくことができる（請求項４）。
【００２８】
本発明においては、上記緊急遮断弁を吐水ヘッドに設けておくことができる（請求項５）。
更にまたこの場合において、緊急遮断弁を吐水ヘッドにおけるホースの接続固定部に設けておくことができる（請求項６）。
この場合緊急遮断弁を簡単な構造で容易にカートリッジの上流部に配設することができる。
【００２９】
上記緊急遮断弁には、これよりも上流部の圧力を下流部にリークするリーク機構を設けておくことができる（請求項７）。
水栓における主弁が開いた状態で緊急遮断弁が完全に閉鎖した状態にある場合、その緊急遮断弁に到るまでの部分に対して給水圧（一次圧）がそのまま作用することとなる。
従ってその場合には緊急遮断弁に到るまでの部分を給水圧に耐え得る耐圧構造としておかなければならなくなる。
しかるにこのようなリーク機構を設けておくことで、そのような耐圧構造としないでも水栓における緊急遮断弁に到るまでの部分、具体的にはこれを構成する器具を良好に保護することができる。
【００３０】
この場合において、そのリーク機構は緊急遮断弁の弁体を部分的に切り欠いて成る切欠部にて構成することができる（請求項８）。
このようにすることで簡単にリーク機構を構成することができる。
請求項９のものは、上記流路における緊急遮断弁よりも上流側の水が万一飛び出したときにこれに当る邪魔板を緊急遮断弁に設けたもので、このようにしておけば、邪魔板の作用で緊急遮断弁の上流側の水が飛び出してそのまま使用者の顔等に当るといった不都合を回避することができる。
【００３１】
請求項１０のものは、上記カートリッジを以って弁押えとなし、装着位置においてそのカートリッジにより緊急遮断弁の弁体を押えることで、これを開弁状態に維持するようになしたもので、このようにした場合、カートリッジの装着と同時に緊急遮断弁を自動的に開弁することができ、またカートリッジが装着位置から外れることで自動的にこれを閉弁作動させることができる。
本発明においては、請求項１〜１１の何れかの水栓用のカートリッジとして、これに緊急遮断弁の弁体を押えるための弁押えを設けておくことができる（請求項１２）。
【００３２】
ここでそのカートリッジには凸形状部を設けて、その凸形状部にて弁押えを構成し、またその凸形状部には緊急遮断弁における弁体と嵌合してこれを軸直角方向に位置保持する保持部を設けておくことができる。このようにしておくことで、開弁状態において緊急遮断弁の弁体が湯水の流れによって軸直角方向にがたつくのを良好に防止することができる。
【００３３】
【実施例】
次に本発明をキッチン水栓に適用した場合の実施例を図面に基づいて詳しく説明する。
図１において、１はキッチンに設置されたキャビネットで、２はシンク、３はカウンターで、このカウンター３上にシングルレバー式の混合水栓（以下単に水栓とする）１０が起立状態で設置されている。
同図において４は水栓１０に対し水,湯を供給するためのサプライ管であって、下端部が止水栓５を介して元配管に接続され、また上端部が水栓１０における水栓本体１２にそれぞれ接続されている。
この水栓本体１２からは下向きに接続管６が延び出しており、その接続管６に対して可撓性のホース２２の端部が接続されている。
【００３４】
水栓１０は、水栓本体１２の上部にシングルレバー式のハンドル１４を備えており、更にまた水栓本体１２からシンク２の上方に向って吐水管１６が延び出している。
水栓本体１２の内部には、図２に示しているように吐止水と吐水の水量調節及び温度調節を行う主弁７が内蔵されており、その主弁７に対し上記ハンドル１４が作動的に連結されている。
この水栓１０では、ハンドル１４を左右回動操作することで吐水の温度調節が行われ、また上下に回動操作することで吐止水及び吐水の水量調節が行われる。
【００３５】
吐水管１６は、水栓本体１２に固定の吐水管基部１８と、上記ホース２２の端部が接続固定されてそのホース２２とともに引出可能な吐水ヘッド２０とを有している。
この吐水ヘッド２０の先端部には、後に詳述する原水ストレート吐水，原水シャワー吐水及び浄水ストレート吐水を切替操作するためのレバー式且つ回転式の切替操作部２４が外部に突き出す状態で設けられている。
【００３６】
図３にも示しているように、吐水ヘッド２０は吐水ヘッド本体（グリップ部）２６とその先端側の頭部２８とを有している。
ここで頭部２８は吐水ヘッド本体２６と別体とされていて、吐水ヘッド本体２６に対し脱着可能とされている。
本例ではこの頭部２８の脱着によって、その内部に収容されている後述のカートリッジ４２が交換可能とされている。
【００３７】
ここで頭部２８は、吐水ヘッド本体２６に取り付けられた状態でカートリッジ４２を軸方向、詳しくは図３中左方向に押えるカートリッジ押えとしての働きも有している。
吐水ヘッド本体２６には、その基端部に上記ホース２２がシール部材３０によるシールの下に水密に接続固定されている。
【００３８】
ここでホース２２は、図４にも示しているように吐水管基部１８の先端部に取付固定された筒状をなすホースガイド３１の中心部のホース挿通孔３２に軸方向に摺動可能に挿通されている。
このホースガイド３１はまた、吐水ヘッド２０をここに差し込むことでこれを保持する機能も有している。
ここでホースガイド３１及び吐水管基部１８には、ホース２２とホースガイド３１との間の隙間から浸入して来た水を外部に排出するための水抜孔３３及び３５がそれぞれ形成されている。
【００３９】
吐水ヘッド本体２６は、筒状をなす化粧カバー（外筒）３８と内筒４０との二重筒構造をなしており、その内部に原水（水道水）を半径方向に通過させることによってこれを浄化するカートリッジ４２が収容されている。
【００４０】
カートリッジ４２は図５に示しているように全体として円筒形状をなす部材であって、中心部の円筒形状の多孔質のセラミックフィルタ４４を有しており、これを支持体としてその外面に珪藻土４６の層が、更にその外面に活性炭４８の層が積層形成され、その外周面に不織布５０が巻き付けられている。
【００４１】
このカートリッジ４２は前後端に非通水性のエンドキャップ５２，５４を有している。
これらエンドキャップ５２，５４はそれぞれ透光性の部材にて構成されており、これらエンドキャップ５２，５４を通じてカートリッジ４２の端面、具体的にはセラミックフィルタ４４，珪藻土４６の層，活性炭４８の層，不織布５０の層の端面を外部から目視観察できるようになっている。
即ちこれらエンドキャップ５２，５４を通じてカートリッジ４２の各層の汚れ具合を目視観察できるようになっている。
【００４２】
これらエンドキャップ５２，５４の外周面には周方向に所定間隔でリブ５６が形成されており、それらリブ５６の外周端が内筒４０の内周面に当接するようになっている。
即ちこれらリブ５６によってカートリッジ４２の外周側、詳しくはカートリッジ４２の外周面と吐水ヘッド本体２６における内筒４０の内周面との間に原水通路５８Ａが形成されている。
またカートリッジ４２におけるセラミックフィルタ４４の内側に浄水通路６０Ａが形成されている。
【００４３】
上記頭部２８には、図２及び図３に示しているようにその下面に、原水を整流束としてストレート吐水する原水ストレート吐水口６２，原水をシャワー水としてシャワー吐水する原水シャワー吐水口６４及び浄水を整流束としてストレート吐水する浄水ストレート吐水口６６がそれぞれ別々に設けられている。
またそれら各吐水口６２，６４，６６に連通して原水ストレート通路６８，原水シャワー通路７０及び浄水ストレート通路７２がそれぞれ形成されている。
【００４４】
上記カートリッジ４２の下流側であって頭部２８の内部には、原水ストレート吐水，原水シャワー吐水及び浄水ストレート吐水を切り替えるための切替弁７４（図６参照）が配設されている。
この切替弁７４はシリンダ式の弁であって、図６及び図８に示しているように段付形状且つ円筒状をなす弁体７６と、これに水密に外嵌する弁ケーシング７８とを有している。
【００４５】
弁体７６は軸方向に突き出す軸部８０を有しており、この軸部８０に対しレバー式且つ回転式の切替操作部２４の基部８２及びスペーサリング８４が一体回転状態に嵌合されている。
即ち、軸部８０の外周には雄スプライン部８６が形成される一方、切替操作部２４の基部８２及びスペーサリング８４の内周には雌スプライン部８８が形成されていて、それらが互いに噛み合う状態に軸部８０と基部８２及びスペーサリング８４とが嵌合され、それらスプライン部８６，８８の噛合いに基づいて軸部８０と基部８２及びスペーサリング８４とが一体回転するようになっている。
尚、軸部８０には雌ねじ孔９０が形成されていてそこに固定ねじ９２がねじ込まれ、以って軸部８０、即ち弁体７６と切替操作部２４とが軸方向に締結固定されている。
【００４６】
上記弁体７６には軸方向の異なった位置に大径部と小径部とが形成されており、その大径部によって原水弁部９４が、また小径部によって浄水弁部９６がそれぞれ構成されている。
原水弁部９４の内部空間，浄水弁部９６の内部空間はそれぞれ原水室９８，浄水室１００とされており、それらが仕切部材１０２にて軸方向に水密に仕切られている。
【００４７】
尚、原水弁部９４側の末端の開放部は閉鎖部材１０４にて閉鎖されている。
この閉鎖部材１０４には断面三角形状の仕切押え１０６が形成されており、その仕切押え１０６によって仕切部材１０２が軸方向に押えられている。
【００４８】
上記弁ケーシング７８には、図６及び図８に示しているように原水通路５８Ａからの原水を原水弁部９４の内側の原水室９８内部に流入させるための通水用の開口１０８と、浄水通路６０Ａからの浄水を浄水弁部９６の内側の浄水室１００内部に流入させるための通水用の開口１１０とが形成されている。
【００４９】
この弁ケーシング７８にはまた、円筒形状の差込嵌合部１１２が一体に形成されており、この差込嵌合部１１２が吐水ヘッド本体２６における内筒４０の先端部内周面にＯリング１１４を介して水密に差込嵌合されている。
即ちこの差込嵌合部１１２を介して、弁ケーシング７８と吐水ヘッド本体２６の内筒４０とが水密に接続されている。
【００５０】
１１６は弁ケーシング７８に形成された浄水を流入させるための通水用の開口１１０と、カートリッジ４２の中心部の浄水通路６０Ａとを連絡する連絡管であって、大径部１１８とこれより偏心した位置に形成された小径部１２０とを有しており、その大径部１１８の内部に、上記エンドキャップ５２に設けられた嵌合凸部１２２がＯリング１１４を介して水密に嵌合されている。
また小径部１２０が弁ケーシング７８に形成された嵌合凹部１２４内にＯリング１１４を介して水密に嵌合されている。
【００５１】
ここで連絡管１１６は、図６及び図８に示しているようにその内部に浄水通路６０Ａに続く浄水通路６０Ｂを形成しており、またその外側に、詳しくは差込嵌合部１１２との間に原水通路５８Ａに続く原水通路５８Ｂを形成している。
【００５２】
上記弁ケーシング７８には、弁体７６における原水弁部９４内部の原水室９８を上記原水ストレート通路６８に連通させるための原水ストレート吐水用開口１２６と、原水シャワー通路７０に連通させるための原水シャワー吐水用開口１２８とが半径方向に貫通する状態で設けられている。
また一方浄水弁部９６側においては、浄水室１００を浄水ストレート通路７２に連通させるための浄水用開口１３０が半径方向に貫通する状態で設けられている。
【００５３】
上記弁体７６における原水弁部９４は、原水ストレート弁部及び原水シャワー弁部を兼ねたものであって、図７にも示しているように弁ケーシング７８における開口１０８からの原水を原水室９８内に流入させるための通水用の開口１３２と、原水室９８を弁ケーシング７８における原水ストレート吐水用開口１２６又は原水シャワー吐水用開口１２８を経て、原水ストレート通路６８又は原水シャワー通路７０に連通させるための通水用の開口１３４とが半径方向に貫通する状態で設けられている。
ここで開口１３２は回転方向に長い長穴形状とされている。
【００５４】
また一方浄水弁部９６には、弁ケーシング７８における開口１１０からの浄水を浄水室１００内に流入させるための通水用の開口１３６と、浄水室１００を弁ケーシング７８における浄水用開口１３０を経て浄水ストレート通路７２に連通させるための通水用の開口１３８とが半径方向に貫通する状態で設けられている。
【００５５】
本例において、切替弁７４は次のように作用する。以下これを図９及び図１０に基づいて具体的に説明する。
図９（Ｉ）及び図１０（Ｉ）は原水のストレート吐水状態を示している。
このときレバー式且つ回転式の切替操作部２４は最も上方に持ち上げられた状態にあり、また切替弁７４は、切替操作部２４の操作に基づいて図９（Ｉ）に示しているように弁体７６における原水弁部９４の長穴形状の開口１３２を弁ケーシング７８の開口１０８に連通させ、また弁体７６における開口１３４を弁ケーシング７８の原水ストレート吐水用開口１２６に連通させた状態にある。
また浄水弁部９６は弁ケーシング７８の開口１１０を閉鎖した状態にある。
【００５６】
従ってこの状態の下では、吐水ヘッド本体２６内部のカートリッジ４２外周側に形成された原水通路５８Ａからの原水が、切替弁７４を経て原水ストレート通路６８及び原水ストレート吐水口６２へと到り、そこから下向きに整流束としてストレート吐水される。
このとき当然ながら浄水ストレート吐水口６６からの浄水の吐水は行われない。
【００５７】
次にこの状態から切替操作部２４を図９（II）の中間位置まで下向きに回転させると、図９（II）及び図１０（II）に示しているように弁体７６における開口１３２と弁ケーシング７８の開口１０８との連通を保った状態で、弁体７６における開口１３４が弁ケーシング７８の原水シャワー吐水用開口１２８に一致する状態となり、ここにおいて原水通路５８Ａからの原水が、今度は原水シャワー通路７０及び原水シャワー吐水口６４に導かれて、そこより下向きにシャワー水として吐水される。
尚図１０（II）に示しているように、このときにも切替弁７４における弁体７６の浄水弁部９６は浄水の通路を遮断した状態にあり、従って浄水ストレート吐水口６６からの浄水の吐水は行われない。
【００５８】
この状態から図９（III）及び図１０（III）に示しているように切替操作部２４を更に下向きに回転操作すると、ここにおいてそれらの図に示しているように切替弁７４により原水の通路が遮断される一方、浄水の通路が開放される。
【００５９】
このとき原水通路５８Ａ内の原水は、原水の通路が切替弁７４によって遮断された状態となるため給水圧によってカートリッジ４２を半径方向に突き抜け、その中心部に形成されている浄水通路６０Ａへと到る。
そしてこのカートリッジ４２を通過することによって原水の浄化が行われる。
【００６０】
而してカートリッジ４２を通過して浄化された後の浄水は、カートリッジ４２内部の浄水通路６０Ａから弁ケーシング７８の開口１１０及び弁体７６における開口１３６を通じて浄水室１００内に流入し、更にその浄水室１００から弁体７６の開口１３８及び弁ケーシング７８の開口１３０を経て浄水ストレート通路７２へと流出し、更にその先端の浄水ストレート吐水口６６から下向きに整流束としてストレート吐水される。
【００６１】
図３及び図４に示しているように吐水ヘッド２０の基端部には、緊急遮断弁５１が設けられている。詳しくは吐水ヘッド２０の基端部且つホース２２の接続固定部において緊急遮断弁５１が設けられている。
【００６２】
ここで緊急遮断弁５１は、カートリッジ４２が装着位置から外れたときに自動的に閉弁して流路を遮断するもので、筒状をなす弁ケーシング５３と弁体５５とを有している。
弁ケーシング５３は軸方向の一端側（図中左端側）がホース２２に固定されており、また他端側（図中右端側）が固定リング５７によって吐水ヘッド２０に固定されている。
【００６３】
ここで固定リング５７は吐水ヘッド２０における内筒４０に対しねじ結合されている。即ち固定リング５７を内筒４０にねじ込んで行くことで、弁ケーシング５３が吐水ヘッド２０の内筒４０に接続固定される。
【００６４】
弁体５５には軸部５９が設けられており、その軸部５９の端部（図中右端側）に邪魔板６１が設けられている。
この邪魔板６１にはスプリング６３の付勢力が図中右向きに作用しており、図４（Ｂ）に示しているようにカートリッジ４２を取り外すと、弁体５５はこのスプリング６３の付勢力に基づいて弁ケーシング５３の弁座６５に着座し緊急遮断弁５１が閉弁する。
即ち弁座６５への弁体５５の着座によって流路を遮断する。
但し通常時は図４（Ａ）に示しているようにカートリッジ４２が邪魔板６１を介して弁体５５をスプリング６３の付勢力に抗して図中左向きに押し込んでおり、従って緊急遮断弁５１はカートリッジ４２によって通常時は開弁状態に維持される。
【００６５】
上記カートリッジ４２には、軸方向端部（図中左端部）に弁体５５を押えるための弁押えとしての凸形状部６７が設けられており、その凸形状部６７が弁体５５における邪魔板６１に当接して、スプリング６３の付勢力に抗し弁体５５を図中左向きに押し込んでいる。
【００６６】
凸形状部６７には、弁体５５における邪魔板６１に対応する雌テーパ形状の保持部６９が形成されており、この保持部６９が邪魔板６１の雄テーパ形状部に嵌合して軸直角方向に弁体５５を位置保持している。
即ちこの保持部６９の作用によって、流路を湯水が流通する際に弁体５５が軸直角方向にぶれたりがたついたりするのが防止される。
【００６７】
弁体５５、詳しくは弁座６５への当接部には切欠部７１が設けられている。この切欠部７１は、流路における緊急遮断弁５１よりも上流側の圧力を下流側へとリークさせるためのリーク機構を成すもので、図４（Ｃ）に示しているように弁体５５が弁座６５に着座した状態の下で、切欠部７１によってそれらの間に若干の隙間が形成され、同部分を通じて緊急遮断弁５１よりも上流側の圧力が下流側へとリークする。
【００６８】
本例の水栓１０の場合、上記緊急遮断弁５１はカートリッジ４２の押圧作用で通常時は開弁状態を維持しており、従ってハンドル１４を開操作して主弁７を開くと、そこから湯水がホース２２を経由して吐水ヘッド２０へと到り、先端の吐水口６２又は６４の何れかから外部に吐水される。
またハンドル１４を水側に開操作した状態で切替操作部２４を切替操作することで、吐水ヘッド２０へと送られて来た水が原水の状態で或いは原水を浄化した浄水の状態で各吐水口６２，６４，６６の何れかから原水ストレート吐水,原水シャワー吐水若しくは浄水ストレート吐水される。
【００６９】
一方カートリッジ４２を交換する必要が生じたときには、ハンドル１４を閉操作して主弁７を閉じた上で、吐水ヘッド２０における頭部２８を吐水ヘッド本体２６から取り外す。
そして吐水ヘッド２０、詳しくは吐水ヘッド本体２６内部に収容状態にあるカートリッジ４２を、頭部２８の取外しによって開放された開口部を通じて新規のものと交換する。
このときカートリッジ４２が本来の装着位置から外れると同時に緊急遮断弁５１がスプリング６３の付勢力により自動的に閉弁し流路を遮断する。
尤もこのときには通常主弁７は閉じているので流路内に給水圧は働いておらず、従って緊急遮断弁５１がなくてもそこから湯水が勢い良く外部に飛び出すといったことはない。
【００７０】
但しこのカートリッジ４２の交換時において、使用者の操作忘れによってハンドル１４が閉操作されていないとき、即ち主弁７が閉じていないとき、そのような緊急遮断弁５１が設けられていないと、頭部２８を取り外してカートリッジ４２を交換する際に、ホース２２からの湯水が勢い良く外部に飛び出して使用者の顔等に当ったりする恐れがある。
【００７１】
しかるに本例の水栓１０ではカートリッジ４２の交換時に緊急遮断弁５１が自動的に閉弁するため、カートリッジ４２の交換時において主弁７が閉じていなかった場合でも、或いはまた一旦は主弁７を閉じたとしてもカートリッジ４２の交換の際に誤ってハンドル１４に手が触れて主弁７が開いてしまった場合でも、緊急遮断弁５１の閉弁により、ホース２２からの湯水が勢い良く外部に飛び出すといったことはない。
【００７２】
更にはまた、何らかの原因で頭部２８が吐水ヘッド本体２６から外れ、これによってカートリッジ４２による弁押えとしての機能が消失した場合であっても、頭部２８が湯水の勢いによって使用者に向って飛んで来るといった恐れを解消することができる。
【００７３】
本例では緊急遮断弁５１の弁体５５にはリーク機構を成す切欠部７１が設けてあるため、主弁７が開いた状態で緊急遮断弁５１が閉鎖した状態にある場合であっても、その緊急遮断弁５１に到るまでの部分に対して給水圧（一次圧）がそのまま作用するといったことがなく、従って緊急遮断弁５１に到るまでの部分を給水圧に耐え得る耐圧構造としておく必要がない。
【００７４】
また本例では、緊急遮断弁５１に邪魔板６１が設けてあるので、万一緊急遮断弁５１から上流側の水が飛び出しても、その水が直接使用者の顔等に当るといった不都合を回避することができる。
【００７５】
更に本例においてはカートリッジ４２の端部に凸形状部６７が設けてあり、その凸形状部６７に弁体５５と嵌合する保持部６９が設けてあって、緊急遮断弁５１の弁体５５を軸直角方向に位置保持するため、開弁状態において緊急遮断弁５１の弁体５５が湯水の流れによって軸直角方向にがたつくのを良好に防止することができる。
【００７６】
以上本発明の実施例を詳述したがこれはあくまで一例示であり、本発明は上記カートリッジとして主として水道水中の塩素分を除去する塩素除去カートリッジを備えたものに適用することも可能であるし、また上例以外の他の様々な形態の水栓に対して適用することも可能であるなど、その主旨を逸脱しない範囲において種々変更を加えた形態で構成可能である。
【図面の簡単な説明】
【図１】
本発明の一実施例である緊急遮断弁及びカートリッジを内蔵した浄水機能付きの水栓をキャビネット上に設置した状態で示す図である。
【図２】
同実施例の水栓の内部構造を示す図である。
【図３】
図２に示す吐水管の内部構造を拡大して示す図である。
【図４】
図３に示す緊急遮断弁の作用説明図である。
【図５】
図３に示す構造を各部材に分解した状態で示す図である。
【図６】
図３の吐水ヘッドの先端部の内部構造を拡大して示す図である。
【図７】
図６に示す切替弁の作用説明図である。
【図８】
図６の要部を各部材に分解して示す図である。
【図９】
同じ実施例の内部の切替弁の作用を断面図で示す図である。
【図１０】
同じ実施例の切替弁の作用を切替操作部の操作状態との関連で示した図である。
【図１１】
本発明の背景説明のための説明図である。
【図１２】
本発明者等が案出したカートリッジ内蔵タイプの水栓の要部を示す比較例図である。
【符号の説明】
１０  混合水栓
２０  吐水ヘッド
２２  ホース
２６  吐水ヘッド本体
２８  頭部
３８  化粧カバー
４０  内筒
４２  カートリッジ
５１  緊急遮断弁
５５  弁体
５７  固定リング
６１  邪魔板
６７  凸形状部
６９  保持部
７１  切欠部